(57)【要約】【課題】乗りかごへの駆け込み行為を高度に抑制することができるエレベータを提供することである。【解決手段】エレベータ１０は、エレベータドア１４が閉扉するときに、開いている乗降口１３に閉扉警告表示２１を出力する光源装置２０を備える。光源装置２０は、乗降口１３の左右に進む複数のレーザー光線からなるライン状の閉扉警告表示２１を出力するように配置されている。エレベータ１０によれば、利用者の視覚に訴えてエレベータドア１４が閉扉することを認識させることができ、乗りかご１１への駆け込み行為を高度に抑制することが可能になる。【選択図】図１
2011235993.tif 000002
【特許請求の範囲】
【請求項１】
乗降口を開閉するエレベータドアが設置されたエレベータにおいて、
エレベータドアが閉扉するときに、開いている乗降口に閉扉警告表示を出力する光源装置を備えることを特徴とするエレベータ。
【請求項２】
請求項１に記載のエレベータにおいて、
光源装置は、乗りかごに設置されることを特徴とするエレベータ。
【請求項３】
請求項１又は２に記載のエレベータにおいて、
光源装置は、乗降口の左右又は上下に進む複数のレーザー光線からなるライン状の閉扉警告表示を出力するように配置されたレーザー装置であることを特徴とするエレベータ。
【請求項４】
請求項１〜３のいずれか１に記載のエレベータにおいて、
エレベータドアの閉扉状態を認識し、当該閉扉状態に応じて光源装置の作動を制御することで閉扉警告表示の形態を変化させる制御装置を備えることを特徴とするエレベータ。
【請求項５】
請求項１に記載のエレベータにおいて、
開いている乗降口にミストを噴霧するミスト噴霧装置を備え、
光源装置は、噴霧されたミストに所定の画像を投影することで閉扉警告表示を乗降口に出力することを特徴とするエレベータ。
【請求項６】
請求項５に記載のエレベータにおいて、
光源装置は、噴霧されたミスト又は閉扉したエレベータドアに対して広告表示用の画像を投影することを特徴とするエレベータ。
【発明の詳細な説明】
【技術分野】
【０００１】
本発明は、エレベータに関し、特に乗降口を開閉するエレベータドアが設置されたエレベータに関する。
【背景技術】
【０００２】
一般的なエレベータには、乗降口を開閉するエレベータドアが設置されている。ここで、乗降口とは、乗りかご及び乗場に設けられた開口部が一致して形成される乗りかごへ乗り降りするための出入り口であり、エレベータドアとは、かごドア及び乗場ドアが含まれる。即ち、各階床の乗場には、乗場と昇降路とを隔てる乗場壁に、昇降路内を昇降する乗りかごへの乗降口となる開口部が形成されている。そして、乗りかごの壁面にも乗場の開口部に対応する位置に乗降口となる開口部が形成されており、乗りかごが乗場に到着したときに、かごドアの開扉と連動して乗場ドアが開扉し、乗りかごへの乗り降りが可能になる。
【０００３】
一般的に、エレベータドアは、開扉後に所定時間が経過する、或いは乗りかご内に設置されたかご内操作盤を操作することで閉扉される。エレベータドアが閉扉するときに乗降口に利用者がいるとエレベータドアに挟まれるおそれがあるので、エレベータドア又はその近傍には、利用者を検知する各種センサや閉扉を知らせるブザー等が設置されている。各種センサとしては、例えば、エレベータドアに設置された機械式のスイッチや赤外線センサ、超音波センサ等が挙げられ、これらセンサにより利用者が検知されると、閉まりかけていたドアが開くようになっている。
【０００４】
また、特許文献１に開示されるように、エレベータドアの開扉時において、戸隙間付近に物が有るか否かをビームが遮蔽されたか否かで判定して、戸隙間付近に物が存在する場合、エレベータドアの戸開を停止させ、戸隙間に物が挟まれることを防止するシステムも提案されている。
【先行技術文献】
【特許文献】
【０００５】
【特許文献１】特開２００９‐１５５０６９号公報
【発明の概要】
【発明が解決しようとする課題】
【０００６】
しかしながら、上記特許文献１の技術を含む従来の技術では、エレベータドアが閉扉する間際に駆け込みで乗りかごに乗ろうとする利用者（駆け込み利用者）には対応できない場合があり、駆け込み利用者がドアに挟まれることが起こり得る。また、当該駆け込み行為は、駆け込み利用者がドアに挟まれるだけでなく、エレベータの円滑な運転の妨げになるといった問題も招くため、駆け込み行為自体を抑制することが望まれている。駆け込み行為を抑制する方法としては、エレベータドアの閉扉を知らせるブザーを設置する方法が挙げられるが、ブザーでは注意喚起効果が十分とはいえず改良の余地がある。
【０００７】
本発明の目的は、乗りかごへの駆け込み行為を高度に抑制することができるエレベータを提供することである。
【課題を解決するための手段】
【０００８】
本発明に係るエレベータは、乗降口を開閉するエレベータドアが設置されたエレベータにおいて、エレベータドアが閉扉するときに、開いている乗降口に閉扉警告表示を出力する光源装置を備えることを特徴とする。ここで、エレベータドアが閉扉するときとは、エレベータドアの閉扉開始又は閉扉開始よりも所定時間前から閉扉が完了するまでの間であり、エレベータドアが開扉するとき及び利用者の乗り降りが行われる一般的な時間は、通常、閉扉警告表示は出力されない。
【０００９】
上記構成によれば、エレベータドアが閉扉することを警告する閉扉警告表示が開放された乗降口に出力されるので、乗りかごに乗り込もうとする利用者の視覚に訴えて注意を促すことができる。エレベータドアが閉扉する間際に駆け込もうとする利用者にも、乗降口に出力される閉扉警告表示は目に入るため、多くの利用者は当該表示のある乗降口を通ることを躊躇する。したがって、上記構成によれば、乗りかごへの駆け込み行為を高度に抑制することができ、駆け込み利用者がドアに挟まれる或いはエレベータの円滑な運転の妨げられるといった問題を解決することができる。
【００１０】
また、本発明に係るエレベータにおいて、光源装置は、乗りかごに設置されることが好ましい。当該構成では、各乗場に光源装置を設置する必要がなく、コスト低減やメンテナンス性向上等の観点から好ましい。なお、駆け込み行為が多い乗場だけに光源装置を設置して、コスト低減等を図ることもできる。
【００１１】
また、本発明に係るエレベータにおいて、光源装置は、乗降口の左右又は上下に進む複数のレーザー光線からなるライン状の閉扉警告表示を出力するように配置されたレーザー装置とすることができる。当該構成によれば、駆け込み利用者を含む乗場の利用者及び乗りかご内の利用者が眩しくなく、また、駆け込み利用者からは乗降口のレーザー光線が十分見えるので、駆け込み行為を高度に抑制することができる。
【００１２】
また、本発明に係るエレベータにおいて、エレベータドアの閉扉状態を認識し、当該閉扉状態に応じて光源装置の作動を制御することで閉扉警告表示の形態を変化させる制御装置を備えることができる。当該構成によれば、例えば、閉扉開始よりも所定時間前では閉扉警告表示の密度や濃度を低く、閉扉開始により閉扉警告表示の密度や濃度を高く設定する等、警告の緊急度に応じて警告表示のインパクトを強めることができる。
【００１３】
また、本発明に係るエレベータにおいて、開いている乗降口にミストを噴出するミスト噴出装置を備え、光源装置は、噴霧されたミストに所定の画像を投影することで閉扉警告表示を乗降口に出力する構成とすることができる。当該構成によれば、ミストをスクリーンとして任意の画像からなる閉扉警告表示を乗降口に出力することが可能になる。
【００１４】
また、本発明に係るエレベータにおいて、光源装置は、噴霧されたミスト又は閉扉したエレベータドアに対して広告表示用の画像を投影する構成とすることができる。当該構成によれば、光源装置を広告にも使用することができる。
【発明の効果】
【００１５】
本発明に係るエレベータによれば、エレベータドアが閉扉するときに開いている乗降口に閉扉警告表示を出力することによって、利用者の視覚に訴えてエレベータドアが閉扉することを認識させることができ、乗りかごへの駆け込み行為を高度に抑制することが可能になる。
【図面の簡単な説明】
【００１６】
【図１】本発明の第１実施形態であるエレベータを示す図である。
【図２】図１のエレベータにおいて、光源装置の設置形態を示す図である。
【図３】本発明の第１実施形態の変形例であるエレベータを示す図である。
【図４】本発明の第２実施形態であるエレベータを示す図である。
【発明を実施するための形態】
【００１７】
図面を用いて、本発明に係るエレベータの実施形態につき、以下詳細に説明する。図１〜図３は、第１実施形態であるエレベータ１０を示す図であり、図４は、第２実施形態のエレベータ３０を示す図である。なお、いずれの図も、乗りかご１１，３１が乗場１２，３２に停止して乗降口１３，３３が開放された状態を示している。
【００１８】
＜第１実施形態＞
図１〜図３を用いて、エレベータ１０を説明する。
【００１９】
図１に示すように、エレベータ１０は、乗りかご１１、乗場１２、及び光源装置２０を備える。また、エレベータ１０の乗降口１３には、エレベータドア１４が設置されている。エレベータ１０は、昇降路内において乗りかご１１が各階床に設置された乗場１２の間を昇降する昇降装置であって、エレベータドア１４が閉扉する間際の乗りかご１１への駆け込み行為を抑制する機能を有している。
【００２０】
上部機械室が設けられる場合、その室内には、乗りかご１１を昇降させる巻上げ機や制御装置２２が設置されている。巻上げ機のシーブには、一端がかごの上部、他端がカウンターウエイトに連結された主ロープが巻きかけられており、巻上げ機を駆動することにより主ロープが巻上げられ又は送り出されて、乗りかご１１が昇降路内をガイドレールに沿って昇降する仕組みである。なお、本発明は、所謂機械室レスエレベータ等のエレベータにも適用することができ、上部機械室が設けられるエレベータに限定されない。
【００２１】
制御装置２２は、エレベータ１０の動作を統一的に制御する装置であって、例えば、乗りかご１１の自動昇降運転やエレベータドア１４の開閉を制御する。さらに、制御装置２２は、後述するように、光源装置２０の作動を制御する機能を有する。なお、制御装置２２は、ＣＰＵと、入力装置と、入力したパラメータ、制御プログラム等を記憶する記録装置と、入出力ポートなどを備えるコンピュータによって構成することができる。
【００２２】
乗りかご１１は、利用者が乗り込むことのできる室内スペースを有する。また、乗りかご１１は、その壁面に後述する乗場１２の開口部と一致して乗降口１３となる開口部が形成されている。乗りかご１１の開口部には、その周縁にドア枠が設置され、また、乗りかご１１の昇降運転中は閉扉し、乗りかご１１が乗場１２に着床したときに開扉するかごドア１５が設置されている。
【００２３】
また、乗りかご１１には、かごドア１５を開閉するかごドア開閉装置、行先階床を指定する行先階釦やかごドア１５の開閉釦等が配置されたかご内操作盤等が設置されている。かご内操作盤は、制御装置２２と接続されており、その操作信号が制御装置２２に伝達されるようになっている。例えば、かごドア１５の開閉釦のドア閉釦を押すと、制御装置２２からかごドア開閉装置に対してかごドア１５の閉扉指令が送信され、かごドア開閉装置が作動してかごドア１５が閉扉する。
【００２４】
乗場１２は、乗りかご１１への乗り降りを行なう場所であって、複数の階床に設けられている。乗場１２には、乗場１２と昇降路とを隔てる乗場壁に、昇降路内を昇降する乗りかご１１の開口部と一致して乗降口１３を形成する開口部が形成されており、当該開口部には乗場ドア１６が設置されている。また、一般的に、乗場１２の開口部の周縁には、三方枠１７が設置され、乗場壁には、乗りかご１１の呼び登録を行なう乗場呼び釦１８、乗りかご１１の到着を表示するインジケータ１９が設置されている。乗場呼び釦１８等は、かご内操作盤と同様に、制御装置２２に接続されており、操作信号は制御装置２２に伝達される。
【００２５】
乗降口１３は、乗りかご１１への乗り降り、即ち乗場１２から乗りかご１１に乗る又は乗りかご１１から乗場１２に降りるための出入り口であって、乗りかご１１が乗場１２の所定位置に停止したときに、乗りかご１１の開口部と乗場１２の開口部とが一致することで形成される。そして、乗りかご１１の開口部と乗場１２の開口部とが一致してエレベータドア１４が開扉することで、乗降口１３が開いて乗りかご１１への乗り降りが可能になる。
【００２６】
エレベータドア１４は、上記のように、かごドア１５及び乗場ドア１６を含み、乗降口１３を開閉するドアである。図１に示す例において、エレベータドア１４は、センターオープン型（ＣＯ型）のドアであって、かごドア１５及び乗場ドア１６はそれぞれ２枚のドア（パネル）を備えている。２枚のドアの互いに接触する側端部は、例えば、コの字状に折り曲げ加工されて戸当り面２３（図２参照）が形成される。即ち、戸当り面２３は、２枚のドアにおいて対向する面であって、この戸当り面２３同士が一致することにより乗降口１３が全閉状態になる。
【００２７】
また、エレベータドア１４は、乗りかご１１に設置されたドア開閉装置により開閉される。具体的には、乗りかご１１が乗場１２の予め定められた停止位置に停止したときに、かごドア１５と乗場ドア１６とが係合するように構成されており、かごドア１５の開閉動作に連動して係合された乗場ドア１６が開閉される仕組みである。なお、本発明は、所謂サイドオープン型（ＳＯ型）のドアが設置されたエレベータにも適用することができ、ＣＯ型のドアが設置されたエレベータに限定されない。
【００２８】
光源装置２０は、エレベータドア１４が閉扉するときに、閉扉警告表示２１を開いている乗降口１３に出力する装置である。閉扉警告表示２１は、乗降口１３が開いている状態において、エレベータドア１４が閉扉することを利用者に知らせて、乗りかご１１へ乗り込まないように警告するための表示である。図１の例では、乗降口１３の左右に進む複数の可視光線からなるライン状の閉扉警告表示２１が出力されている。より具体的には、当該閉扉警告表示２１は、乗降口１３の左右方向（幅方向）、即ちエレベータドア１４の開閉方向に沿って右側のかごドア１５の戸当り面２３から出射され、乗降口１３の上部から下部にわたって等間隔で存在する複数の可視光線によって形成されている。
【００２９】
光源装置２０としては、可視光線が乗降口１３の左右に進むライン状に見えるように、指向性の高い可視光線を出力できる装置であることが好ましく、赤色等の鮮明な可視レーザー光線を出力できるレーザー装置であることがより好ましい。レーザー装置としては、公知のレーザー装置を用いることができるが、赤、緑、青、又はマルチカラーのレーザー光線が出力可能な小型の半導体レーザーを用いることが好ましい。なお、異なる波長のレーザー光線を出力するレーザー装置を設置して、色が異なったライン状の閉扉警告表示２１とすることもできる。
【００３０】
図１及び図２に示すように、光源装置２０は、かごドア１５の戸当り面２３の裏側にレーザー光線の本数に対応して複数設置することができる。即ち、光源装置２０は、乗りかご１５に設置されている。具体的には、図２に示すように、戸当り面２３に複数の出射窓２４を形成しておき、戸当り面２３の裏側であってかごドア１５の外側の面（乗場ドア１６側の面）に設置することができる。光源装置２０から出力されるレーザー光線は、出射窓２４を通して対向する戸当り面２３に向かって乗降口１３の幅方向に直進する。なお、出射窓２４は、単なる貫通孔とすることもできるが、透明な樹脂プレート等を貫通孔に取り付けた構成とすることもできる。
【００３１】
ここで、閉扉警告表示２１が出力されるタイミングについて説明する。閉扉警告表示２１は、エレベータドア１４が閉扉するとき、即ち開いている乗降口１３が閉じられるときに、開いている乗降口１３に出力される。具体的には、エレベータドア１４の閉扉動作が開始してから閉扉動作が完了する全閉時までの間、閉扉警告表示２１を出力する設定とすることができる。或いは、エレベータドア１４の閉扉動作が開始されるよりも所定時間前から閉扉警告表示２１を出力する設定とすることもできる。ここで、所定時間前とは、エレベータドア１４の閉扉動作が開始される間際であって、１〜２秒前など乗場１２の状況等に応じて適宜設定することができる。
【００３２】
また、光源装置２０は、制御装置２２による制御の下で、閉扉警告表示２１の出力・停止を行なう。即ち、制御装置２２は、エレベータドア１４の開閉を制御すると共に、光源装置２０の作動を制御する。具体的に、光源装置２０は、制御装置２２と接続されていて、制御装置２２に予め入力（登録）されたタイミングで作動される。例えば、制御装置２２は、かご内操作盤のドア開閉釦が操作された場合、かごドア開閉装置に閉扉指令を出力する前に光源装置２０に作動指令を出力して、エレベータドア１４の閉扉開始よりも所定時間前に閉扉警告表示２１を出力させることができる。或いは、閉扉開始と閉扉警告表示２１の出力開始のタイミングを合わせるように制御することもできる。
【００３３】
また、制御装置２２は、エレベータドア１４の閉扉状態を認識して、当該閉扉状態に応じて閉扉警告表示２１の形態を変化させるように光源装置２０の作動を制御することもできる。例えば、閉扉開始時には一部の光源装置２０のみを作動させ、閉扉に伴って段階的に光源装置２０を作動させてレーザー光線の数を増加させる等、閉扉状態に応じてラインの数を変更することができる。或いは、閉扉状態に応じてラインの色を変更することもできる。
【００３４】
以上のように、エレベータ１０は、エレベータドア１４が閉扉するときに、開いている乗降口１３に閉扉警告表示２１を出力する光源装置２０を備えるので、利用者の視覚に訴えてエレベータドア１４が閉扉することを認識させることができ、乗りかご１１への駆け込み行為を高度に抑制することが可能になる。即ち、エレベータドア１４が開いた状態でも乗降口１３には、例えば、複数のレーザー光線からなるライン状の閉扉警告表示２１が出力されているので、多くの利用者は当該表示のある乗降口１３を通ることを躊躇する。
【００３５】
なお、図１に示す例では、乗降口１３の左右方向に平行に進む複数のレーザー光線からなる閉扉警告表示２１を出力するものとして説明したが、閉扉警告表示２１は、乗降口１３の上下方向に平行に進むレーザー光線又は乗降口１３の左右方向又は上下方向に平行ではなく斜めに進むレーザー光線からなるものであってもよい。
【００３６】
例えば、図３に示す例では、右側のかごドア１５の上部及び下部に、それぞれ光源装置２０を備える。そして、上部の光源装置２０が左側のかごドア１５の下部に向かって、下部の光源装置２０が左側のかごドア１５の上部に向かって、それぞれ可視光線（レーザー光線）を出力するように配置されている。当該構成によれば、乗降口１３の左右に斜めに進む格子状（×状）の閉扉警告表示２１を出力することが可能である。また、エレベータドア１４の閉扉に伴って光源装置２０の角度を変更することもできる。例えば、上部の光源装置２０について、戸当り面に上下方向に沿って長い出射窓を形成すると共に、エレベータドア１４の閉扉動作と連動して初期状態（閉扉開始時）からさらに下方に向くように角度を変える首振り台に光源装置２０を設置した構成とすることができる（下部の光源装置２０は上方に向くように角度を変える首振り台に設置）。
【００３７】
また、上記では、光源装置２０がかごドア１５の戸当り面２３の裏側に設置されるものとして説明したが、光源装置２０の設置場所はこれに限定されず、乗降口１３に閉扉警告表示２１を出力可能な場所に設置できる。例えば、乗りかご１１のドア枠や壁面、天井、又は乗場１２に光源装置２０を設置することもできる。
【００３８】
また、上記では、複数の光源装置２０を備えるものとして説明したが、１つの光源装置２０を備える構成であってもよい。例えば、乗りかご１１内から乗降口１３に向かってフラッシング光等を照射する１つのフラッシングライトを光源装置２０として乗りかご１１の壁面や天井に設置してもよい。制御装置２２の制御により、エレベータドア１４の閉扉状態に応じて、フラッシングライトの点滅形態等を変化させることもできる。
【００３９】
また、乗場１２の乗場壁を光源装置２０から出力される可視光線の色と同じ色に塗装しておくことで、乗りかご１１の内からは、閉扉警告表示２１が見えないようにすることもできる。
【００４０】
＜第２実施形態＞
図４を用いて、エレベータ３０を説明する。なお、エレベータ１０と同一の構成要素については、同一の符号を付して重複する説明を省略する。
【００４１】
図４に示すように、エレベータ３０は、乗りかご３１にミスト噴霧装置３６が搭載され、乗場１２に光源装置３５を備えることを特徴とする。光源装置３５により閉扉警告表示４１が出力されるタイミングとしては、エレベータ１０の場合と同様に設定できる。また、エレベータ３０は、かごドア３３及び乗場ドア１６を含むエレベータドア３４を備える。なお、かごドア３３は、光源装置２０が設置されない一般的なドアである。
【００４２】
光源装置３５は、ミスト噴霧装置３６によって噴霧されたミスト４０に所定の画像を投影することで閉扉警告表示４１を開いている乗降口１３に出力する。即ち、光源装置３５としては、乗降口１３に存在するミスト４０をスクリーンとして、閉扉警告表示４１を映し出す投影装置（プロジェクタ）を用いることができる。プロジェクタとしては、一般的なＣＲＴプロジェクタや液晶プロジェクタを用いることができる。或いは、光源装置３５は、可視光を発する光源（白熱灯、蛍光灯、ＬＥＤなど）と、光源の光を所定の画像（形状）にする所謂パターンカッタ、必要によりパターンカッタからでた光を絞り込むレンズを有するものであってもよい。
【００４３】
また、光源装置３５は、ミスト４０に対して所定の画像を投影できる位置に設置される。例えば、図４に示すように、乗場１２の天井に光源装置３５を設置することができる。或いは、乗りかご１１の天井や壁面に光源装置３５を設置して、乗りかご１１内から画像を投影することもできる。
【００４４】
ミスト噴霧装置３６は、乗降口１３にミスト４０を噴霧する装置である。ミスト噴霧装置３６としては、水を圧縮して微細なノズルから噴霧することでミスト４０を発生させる一般的な装置を用いることができる。ミスト噴霧装置３６は、乗りかご１１の上部に設置された高圧ポンプ及び貯水タンク等を有する供給部３７、供給部３７と噴霧ノズル３９とを接続する配管３８、及びドア枠に設置された複数の噴霧ノズル３９を備える装置とすることができる。
【００４５】
また、ミスト噴霧装置３６は、所謂ミスト冷房装置として利用することもできる。冷房装置として兼用する場合には、エレベータドア１４の開閉状態によらず、ミスト噴霧装置３６は常時ミストを噴霧しておくことができる。或いは、ミスト噴霧装置３６は、常時ミストを噴霧しながら、閉扉警告表示２１の出力する時点においてミストの噴霧量を増加させる設定とすることもできる。
【００４６】
なお、光源装置３５によりミスト４０に投影される閉扉警告表示４１としては、図４のような駆け込み行為禁止を認識し易いような静止画とすることができる。或いは、光源装置３５としてプロジェクタを用いる場合には、静止画だけでなく動画からなる閉扉警告表示４１を出力することもできる。また、閉扉警告表示４１と合わせて音声による警告を行なうこともできる。
【００４７】
さらに、エレベータ３０では、閉扉警告表示４１と共に広告表示をミスト４０に映し出すことができる。例えば、閉扉警告表示４１の上部や下部等の空いているスペースに対して、同一の光源装置３５から閉扉警告表示４１及び図示しない広告表示用の画像を出力することができる。また、光源装置３５は、乗降口１３が開放されているときだけでなく、閉扉したエレベータドア３４（乗場ドア１６）に対して広告表示のみを出力することもできる。例えば、光源装置３５は、制御装置２２の制御の下、エレベータドア３４が閉扉するときには閉扉警告表示４１を出力し、エレベータドア３４の全閉時には閉扉したドア（乗場ドア１６）に閉扉警告表示４１に代えて広告表示を出力する構成とすることができる。なお、広告表示用の画像は、動画であってもよい。光源装置３５が乗りかご３１内に設置される場合には、乗りかご３１の昇降運転中において閉扉したかごドア３３に広告表示を出力することもできる。
【００４８】
以上のように、エレベータ３０は、開いている乗降口１３にミスト４０を噴霧するミスト噴霧装置３６と、噴霧されたミスト４０をスクリーンとして所定の画像を投影することで閉扉警告表示４１を開いている乗降口１３に出力する光源装置３５とを備えるので、任意の画像からなる閉扉警告表示４１を乗降口１３に出力することができる。また、光源装置３５は、広告表示用の画像を出力する装置として兼用することができる。
【００４９】
なお、図４に示す例では、ミスト４０をスクリーンとして利用する構成を説明したが、レーザー光線を乗降口１３の空間中にフォーカスすることで閉扉警告表示４１の画像を浮かび上がらせることもできる。
【符号の説明】
【００５０】
＜第１実施形態＞
１０  エレベータ、１１  乗りかご、１２  乗場、１３  乗降口、１４  エレベータドア、１５  かごドア、１６  乗場ドア、１７  三方枠、１８  乗場呼び釦、１９  インジケータ、２０  光源装置、２１  閉扉警告表示、２２  制御装置、２３  戸当り面、２４  出射窓。
【００５１】
＜第２実施形態＞
３０  エレベータ、３１  乗りかご、３２  乗場、３３  かごドア、３４  エレベータドア、３５  光源装置、３６  ミスト噴霧装置、３７  供給部、３８  配管、３９  噴霧ノズル、４０  ミスト、４１  閉扉警告表示。
【図１】
2011235993.tif 000003
【図２】
2011235993.tif 000004
【図３】
2011235993.tif 000005
【図４】
2011235993.tif 000006